(57)【特許請求の範囲】
【請求項１】
感光材料を所定速度で搬送させながら露光光を走査することにより画像を形成させる走査露光部と、
前記走査露光部に設けられた露光基準面に前記感光材料の乳剤面側を押圧する押圧手段と、
前記感光材料を紙粉積層位置に搬送させる搬送手段と、
前記走査露光部の前記感光材料の搬送経路の上流側において、所定長さに切断された前記感光材料を、その搬送方向と直交する方向に移動させる振り分け機構と、
前記振り分け機構による移動を制御する制御手段とを備え、
前記感光材料をロール状に収納した感光材料収容マガジンを写真処理装置本体に対して着脱自在に構成し、前記感光材料収容マガジンを装着したときに、前記制御手段が前記振り分け機構による移動を制御することにより、ロール状に収納した前記感光材料の先端部をクリーニング用感光材料として、当該ロール状に収納した前記感光材料の先端部により前記露光基準面に積層する前記感光材料の紙粉を除去することを特徴とする紙粉除去機能を有する写真処理装置。
【請求項２】
前記感光材料収容マガジンを装着する前に処理した感光材料の種類と、新たに装着した前記感光材料収容マガジンに収納されている感光材料の種類とを記憶する記憶手段を備え、
前記制御手段は、前記記憶手段に記憶されている前記感光材料のデータに基づいて、前記振り分け機構による移動量を制御することを特徴とする請求項１に記載の紙粉除去機能を有する写真処理装置。
【請求項３】
前記感光材料収容マガジンを装着する前に処理した感光材料の幅よりも、新たに装着した前記感光材料収容マガジンに収容されている感光材料の幅の方が広い場合には、前記制御手段は、前記振り分け機構を作動させないことを特徴とする請求項２に記載の紙粉除去機能を有する写真処理装置。
【請求項４】
感光材料を所定速度で搬送させながら露光光を走査することにより画像を形成させる走査露光部と、
前記走査露光部に設けられた露光基準面に前記感光材料の乳剤面側を押圧する押圧手段とを備えた写真処理装置における紙粉除去方法であって、
前記感光材料を紙粉積層位置に搬送させる搬送ステップと、
前記走査露光部の前記感光材料の搬送経路の上流側において、所定長さに切断された前記感光材料を、その搬送方向と直交する方向に移動させる振り分けステップと、
前記振り分けステップによる移動を制御する制御ステップとを備え、
前記感光材料をロール状に収納した感光材料収容マガジンを写真処理装置本体に対して着脱自在に構成し、前記感光材料収容マガジンを装着したときに、前記制御ステップにおいて前記振り分けステップによる移動を制御することにより、ロール状に収納した前記感光材料の先端部をクリーニング用感光材料として、当該ロール状に収納した前記感光材料の先端部により前記露光基準面に積層する前記感光材料の紙粉を除去することを特徴とする紙粉除去方法。
【発明の詳細な説明】
【０００１】
【発明の属する技術分野】
本発明は、感光材料を所定速度で搬送させながら露光光を走査することにより画像を形成させる走査露光部と、前記走査露光部に設けられた露光基準面に前記感光材料の乳剤面側を押圧する押圧手段とを備えた紙粉除去機能を有する写真処理装置及び写真処理装置における紙粉除去方法に関するものである。
【０００２】
【従来の技術】
写真処理装置において写真プリントを作成する方法として、走査露光部において感光材料を搬送させながら露光光を走査することによりデジタル画像を露光形成する方法がある。これは、１ラインごとに順次画像を形成していくものであり、露光光を主走査方向（感光材料の搬送方向と直交する方向）に走査するとともに、感光材料を所定速度で搬送する（副走査）ことにより全体の画像を形成する（プリント処理）ものである。
【０００３】
ここで、露光光により画像を露光していくにあたり、感光材料にシャープな画像を形成するため、露光光の焦点位置（又は、焦点深度内）を感光材料の乳剤面が走行できるようにしている。そのために、露光光の焦点位置に露光基準面を設け、感光材料の乳剤面を露光基準面に押圧手段により押圧した状態で搬送することができるように構成し、品質のよい画像を露光形成できるようにしている。
【０００４】
ところで、製造工程上の理由により、感光材料の搬送幅方向の端面はささくれた状態にあり、感光材料を露光基準面に対して押圧した状態で搬送させると、露光基準面に紙粉が徐々に積層されて行く。これを図２で説明する。図２は、露光基準面１０を正面からみた形状を示すものであり、露光基準面１０は感光材料２が搬送される搬送経路と直交する方向に伸びたライン状に形成されており、露光光が出力されるライン状のスリット１１が形成されている。感光材料２は図２の矢印Ｂ方向に搬送されるが、感光材料２の搬送幅方向の端面２ａがささくれていることから、その端面２ａが通過した位置に紙粉Ａが徐々に積層されて行く。このような紙粉Ａがスリット１１の中に入り込んだりすると、露光光が遮られたりすることから所望の画像を形成させることができず画質を低下させてしまう要因となる。
【０００５】
そこで、このような紙粉Ａを除去するために、刷毛のようなクリーニング部材を写真処理装置本体内に設け、これを露光基準面１０に沿って移動させることにより紙粉Ａの除去を行っていた。
【０００６】
【発明が解決しようとする課題】
しかしながら、かかる構成では、クリーニング部材及びこれを移動させる機構を設けるためのコストが必要となるだけでなく、クリーニング部材によりクリーニングを行うための時間がかかり、プリント処理の効率を低下させてしまう。クリーニング部材を設けないでオペレータが手動でクリーニングを行うようにすればコストはかからないが、クリーニングの為に写真処理装置本体のカバー部材を開き、クリーニング個所を露呈させなければならず、非常に手間がかかり煩雑な作業になる。当然、プリント作業も一旦停止させなければならず、プリント処理の効率を低下させてしまう。
【０００７】
本発明は上記実情に鑑みてなされたものであり、その課題は、プリント処理の効率を低下させず、簡素な構成で走査露光部の露光基準面のクリーニングを行うことのできる紙粉除去機能を有する写真処理装置及び写真処理装置における紙粉除去方法を提供することである。
【０００８】
【課題を解決するための手段】
上記課題を解決するため本発明に係る紙粉除去機能を有する写真処理装置は、
感光材料を所定速度で搬送させながら露光光を走査することにより画像を形成させる走査露光部と、
前記走査露光部に設けられた露光基準面に前記感光材料の乳剤面側を押圧する押圧手段と、
前記感光材料を紙粉積層位置に搬送させる搬送手段と、
前記走査露光部の前記感光材料の搬送経路の上流側において、所定長さに切断された前記感光材料を、その搬送方向と直交する方向に移動させる振り分け機構と、
前記振り分け機構による移動を制御する制御手段とを備え、
前記感光材料をロール状に収納した感光材料収容マガジンを写真処理装置本体に対して着脱自在に構成し、前記感光材料収容マガジンを装着したときに、前記制御手段が前記振り分け機構による移動を制御することにより、ロール状に収納した前記感光材料の先端部をクリーニング用感光材料として、当該ロール状に収納した前記感光材料の先端部により前記露光基準面に積層する前記感光材料の紙粉を除去することを特徴とするものである。
【０００９】
この構成によると、クリーニング用感光材料を露光基準面の紙粉積層位置に向けて搬送させることにより、クリーニング用感光材料の先端部により紙粉を除去することができる。クリーニング用感光材料を搬送させるための搬送手段は、通常の画像形成用の感光材料を搬送させるための搬送手段を利用することが可能であるから、紙粉除去のための特別な機構は不要となりコスト的にメリットが大きい。また、通常のプリント処理工程の合間にクリーニング用感光材料を搬送させるだけでよいから、プリント処理を一旦停止させる必要がない。
【００１０】
さらに、クリーニングを行うために写真処理装置本体のカバー部材を開いたりする必要もないから、クリーニング作業も煩雑にならない。その結果、プリント処理の効率を低下させず、簡素な構成で走査露光部の露光基準面のクリーニングを行うことのできる紙粉除去機能を有する写真処理装置を提供することができる。
【００１２】
クリーニング用感光材料を用いてクリーニング作業を行おうとする場合に、クリーニング用感光材料の幅寸法が、それまでプリント処理を行ってきた感光材料の幅寸法と同じ幅寸法であるときは、振り分け機構を用いてクリーニング用感光材料をその搬送方向と直交する方向に移動させることで、クリーニング用感光材料の先端部で紙粉を除去することができる。かかる振り分け機構は、通常のプリント処理において、感光材料を１列搬送状態から多列搬送状態に切り換えるため設けられることがあり、これを活用することでクリーニング用感光材料を適切な位置にて搬送させるようにすることができる。
【００１４】
写真処理装置において感光材料をプリント処理する場合に、感光材料をロール状に収納した感光材料収容マガジンを用い、これを着脱可能に構成している。つまり、ロール状の感光材料をすべて消費した時点で、空になった感光材料収容マガジンを取り外し、新たなロール状感光材料を詰め替えた上で再度感光材料収容マガジンを装着する。そして、新たに感光材料収容マガジンを装着した場合には、先端処理と呼ばれる処理を通常行っている。以下、これを説明する。
【００１５】
ロール状感光材料の先端部分は工場出荷時点で斜めにカットされていたり、また、ロール状感光材料を詰め替え作業するときにオペレータの指が触れたりしていることから、先端部分は画像形成用に使用することができない。そこで、先端部分を所定の長さだけカットして、プリント処理は行わず、そのまま搬送経路を通過させて排出させている。この先端部分は、最終的には廃棄処分がされる。したがって、かかるロール状感光材料の先端部分を用いて、これをクリーニング用感光材料として用いることにより、本来廃棄される部分を有効に活用することができる。また、先端処理と紙粉除去を同時に行うことができるので、プリント処理の効率を低下させることがない。
【００１６】
本発明の別の好適な実施形態として、前記感光材料収容マガジンを装着する前に処理した感光材料の種類と、新たに装着した前記感光材料収容マガジンに収納されている感光材料の種類とを記憶する記憶手段を備え、
前記制御手段は、前記記憶手段に記憶されている前記感光材料のデータに基づいて、前記振り分け機構による移動量を制御するものがあげられる。
感光材料収容マガジンを装着したときに、先端処理を兼ねてクリーニングを行うが、この場合に、感光材料収容マガジンを装着する前の感光材料の種類と、新たに装着した感光材料収容マガジンの感光材料の種類を記憶手段に記憶させるようにしておく。この記憶された情報から、感光材料の幅寸法に関連した情報を検出し、これに基づいて振り分け機構による移動量を制御する。これにより、クリーニング用感光材料の先端部が確実に紙粉を除去できるように制御することができる。
前記感光材料収容マガジンを装着する前に処理した感光材料の幅よりも、新たに装着した前記感光材料収容マガジンに収容されている感光材料の幅の方が広い場合には、前記制御手段は、前記振り分け機構を作動させないことが好ましい。
【００１７】
上記課題を解決するため本発明に係る紙粉除去方法は、
感光材料を所定速度で搬送させながら露光光を走査することにより画像を形成させる走査露光部と、
前記走査露光部に設けられた露光基準面に前記感光材料の乳剤面側を押圧する押圧手段とを備えた写真処理装置における紙粉除去方法であって、
前記感光材料を紙粉積層位置に搬送させる搬送ステップと、
前記走査露光部の前記感光材料の搬送経路の上流側において、所定長さに切断された前記感光材料を、その搬送方向と直交する方向に移動させる振り分けステップと、
前記振り分けステップによる移動を制御する制御ステップとを備え、
前記感光材料をロール状に収納した感光材料収容マガジンを写真処理装置本体に対して着脱自在に構成し、前記感光材料収容マガジンを装着したときに、前記制御ステップにおいて前記振り分けステップによる移動を制御することにより、ロール状に収納した前記感光材料の先端部をクリーニング用感光材料として、当該ロール状に収納した前記感光材料の先端部により前記露光基準面に積層する前記感光材料の紙粉を除去することを特徴とするものである。
【００１８】
この構成によると、クリーニング用感光材料を露光基準面の紙粉積層位置に向けて搬送させることにより、クリーニング用感光材料の先端部により紙粉を除去することができる。クリーニング用感光材料を搬送させるために、通常の画像形成用の感光材料を搬送させるための搬送手段を利用することが可能であるから、紙粉除去のための特別な機構は不要となりコスト的にメリットが大きい。また、通常のプリント処理工程の合間にクリーニング用感光材料を搬送させるだけでよいから、プリント処理を一旦停止させる必要がない。
【００１９】
さらに、クリーニングを行うために写真処理装置本体のカバー部材を開いたりする必要もないから、クリーニング作業も煩雑にならない。その結果、プリント処理の効率を低下させず、簡素な構成で走査露光部の露光基準面のクリーニングを行うことのできる紙粉除去方法を提供することができた。
【００２０】
【発明の実施の形態】
図１は、本発明にかかる紙粉除去機能を有する写真処理装置の好適な実施形態を示す模式図である。
＜写真処理装置の構成＞
写真処理装置には、着脱自在に装着されるペーパーマガジン１（感光材料収容マガジンに相当する。）と、アドバンスローラ３と、ペーパー２（感光材料に相当する。）の先端等を検出するペーパー検出センサー４と、ペーパー２を所定のプリントサイズに切断するカッター５と、ペーパー２にレーザー光Ｌを走査することによりデジタル画像を露光形成する走査露光部Ｓと、多数の搬送ローラから構成される搬送機構６と、露光済みのペーパー２の現像処理を行う現像処理部７と、乾燥処理部８とが備えられている。
【００２１】
ペーパーマガジン１には、長尺状のペーパー２がロール状の形態で収容されており、ペーパーマガジン１は写真処理装置本体に対して着脱自在に構成されている。着脱機構に関しては、周知の構成であり、その説明を省略する。また、マガジン検出センサー９が設けられており、ペーパーマガジン１が装着されたときに、その内部に収容されているペーパー２の種類を検出する。ペーパーマガジン１には、数ビット分の孔が形成された検出板が取り付けられており、このビット情報をマガジン検出センサー９により検出することで、ペーパー２に関連する情報、特にペーパー２の幅寸法に関連した情報を得ることができる。この検出された情報は、記憶手段２１（ハードディスクやメモリ等）に記憶される。
【００２２】
ペーパーマガジン１から引き出されたペーパー２は、アドバンスローラ３により搬送経路の下流側へと搬送されて行く。ペーパー検出センサー４は、ペーパー２の先端を検出し、その時点からの搬送量に基づいてペーパー２の先端部分を所定長さにカットする。
【００２３】
走査露光部Ｓにおける搬送経路に設けられた第２搬送ローラ対１３よりも、さらに搬送経路の上流側に振り分け機構１２が設けられている。振り分け機構１２は、一対の搬送ベルト１２ａ，１２ｂを備えており、この搬送ベルト１２ａ，１２ｂの間にペーパー２を挟持した状態でペーパー２を搬送させることができる。また、振り分け機構１２は、図１の紙面と直交する方向（ペーパー２の搬送方向と直交する方向）に移動可能に構成されている。例えば、振り分け機構１２を不図示のガイドレールに沿って移動できるようにし、ボールねじ機構等によりガイドレールに沿って駆動させることができる。これにより、ペーパー２を１列搬送状態から、２列、３列等の多列搬送状態に切り換えることができる。振り分け機構１２の移動量は、ドライバ２２を介して制御手段２０により制御される。なお、振り分け機構１２としては、搬送ベルト１２ａ，１２ｂを用いるものではなく、ローラ機構、チャッキング機構、アーム機構等を用いるものでもよい。
【００２４】
＜走査露光部の構成＞
走査露光部Ｓでは、ペーパー２を搬送させながらレーザー光Ｌを走査することによりデジタル画像を露光形成する。走査露光部Ｓは、ペーパー２を一定速度で搬送させるために、搬送経路の上流側に位置する第１搬送ローラ対１３と、下流側に位置する第２搬送ローラ対１４とを設けている。各搬送ローラ対１３，１４（搬送手段に相当する。）は、駆動ローラと圧着ローラで構成される。また、レーザー光Ｌを形成するための露光エンジン１５と、この露光エンジン１５における露光基準面１０に対してペーパー２の乳剤面を押圧するための押圧パッド１６（押圧手段に相当する。）が設けられている。
【００２５】
走査露光部Ｓにおいては、１ラインごとに順次画像を形成していくものであり、レーザー光Ｌを主走査方向（ペーパー２の搬送方向と直交する方向）に走査するとともに、ペーパー２を各搬送ローラ対１３，１４により一定速度で搬送する（副走査）ことにより全体の画像を形成する（プリント処理）ものである。
【００２６】
ここで、レーザー光Ｌにより画像を露光していくにあたり、ペーパー２にシャープな画像を形成するため、レーザー光Ｌの焦点位置（又は、焦点深度内）をペーパー２の乳剤面が走行できるようにしている。そのために、レーザー光Ｌの焦点位置に露光基準面１０を設け、ペーパー２の乳剤面を露光基準面１０に上記の押圧パッド１６により押圧した状態で搬送することができるように構成し、品質のよい画像を露光形成できるようにしている。
【００２７】
なお、露光エンジン１５としては、レーザーエンジンに限られるものではない。例えば、ＰＬＺＴエンジンがあげられる。これは、主走査方向に多数（画素数に相当）のＰＬＺＴシャッターを配列し、この各ＰＬＺＴシャッターを画像データに基づいて制御することにより、ペーパー２に画像を露光形成する。そして、ＰＬＺＴシャッターを通過したレーザー光Ｌはセルフォックレンズにより焦点位置である露光基準面１０に結像するようにしている。その他の露光エンジン１５としては、ＣＲＴエンジン、ＤＭＤ（デジタル・ミラー・デバイス）等があげられる。
【００２８】
露光エンジン１５により、画像の露光されたペーパー２は、搬送機構６に備えられた多数のローラにより搬送経路の下流側へと搬送され、所定の現像処理・乾燥処理が施された後に、写真処理装置本体の外部に写真プリントとして排出される。
【００２９】
写真処理装置としての露光基準面１０は、ペーパー２の乳剤面に設定されるべきものである。しかしながら、本発明では、ペーパー２のベース面側から押圧パッド１６を押圧して、ガイド面にペーパー乳剤面部分を規制する構成である。ガイドに規制されて装置としての露光基準をとる構成であるため、あえてこのガイド面を露光基準面１０として説明を行った。（図１の要部拡大図参照）
＜紙粉除去機能についての説明＞
ところで、ペーパー２の搬送幅方向の端面はささくれた状態にあり、ペーパー２を露光基準面１０に対して押圧した状態で搬送させると、露光基準面１０に紙粉が徐々に積層されて行く。これを図２で説明する。図２は、露光基準面１０を正面からみた（図１の矢視Ｃ）形状を示すものであり、露光基準面１０はペーパー２が搬送される搬送経路と直交する方向に伸びたライン状に形成されており、レーザー光Ｌが出力されるライン状のスリット１１が形成されている。ペーパー２は図２の矢印Ｂ方向に搬送されるが、ペーパー２の搬送幅方向の端面２ａがささくれていることから、その端面２ａが通過した位置に紙粉Ａが徐々に積層されて行く。このような紙粉Ａがスリット１１の中に入り込んだりすると、レーザー光が遮られたりすることから所望の画像を形成させることができず画質を低下させてしまう。
【００３０】
そこで、露光基準面１０に積層した紙粉Ａを除去するために、クリーニングペーパー（クリーニング用感光材料に相当する。）を搬送させている。
図３は、クリーニングペーパー２Ａ，２Ｂを搬送させるときの様子を示している。図２に示すペーパー２の幅寸法と、図３に示すクリーニングペーパー２Ａ，２Ｂとは同じ幅寸法であるとする。図２は、画像を露光させる場合において、ペーパー２を搬送経路の中央位置にて搬送させた例である。図３では、まず最初のクリーニングペーパー２Ａを振り分け機構１２により搬送幅方向に所定量移動させた状態にした後に搬送させる。これにより、クリーニングペーパー２Ａの先端部にて一方の紙粉Ａ（図３の右側）を除去させることができる。ついで、次のクリーニングペーパー２Ｂは、振り分け機構１２によりクリーニングペーパー２Ａとは反対方向の搬送幅方向に所定量移動させてから搬送させる。これにより、クリーニングペーパー２Ｂの先端部にてもう一方の紙粉Ａ（図３の左側）を除去させることができる。また、これらクリーニングペーパー２Ａ，２Ｂは、通常のペーパー２を搬送するための搬送機構（搬送ローラ対１３，１４）を用いることができる。
【００３１】
また、振り分け機構１２と走査露光部Ｓとの間に、先端揃え機構を設けて、クリーニングペーパー２Ａ，２Ｂの先端を揃えた状態にできるように構成してもよい。
【００３２】
＜クリーニングを行うときの手順＞
次に、図４のフローチャートによりクリーニングを行うときの手順を説明する。この実施形態では、露光基準面１０のクリーニングを行うのはペーパーマガジン１を交換したときである。ペーパーマガジン１から、ペーパー２が徐々に引き出されてプリント処理がされて行くと、ペーパー２がいずれなくなる。ペーパー２がなくなると、ペーパーマガジン１を写真処理装置本体から取り外す。そして、新たにロール状のペーパー２を収納する。そして、新たなペーパー２が収納されたペーパーマガジン１を写真処理装置本体に装着する（＃１）。なお、別の種類のペーパー２が収納されたペーパーマガジン１が新たに装着されたときも、以下の手順は同じであるとする。
【００３３】
ペーパーマガジン１を装着すると、マガジン検出センサー９によりペーパーマガジン１が装着されたことを検出するとともに（＃２）、収納されているペーパー２に関する情報、特に、ペーパー２の幅寸法に関連した情報を検出する。検出された情報は、制御手段２０の指令に基づいて、記憶手段２１に保存される。なお、記憶手段２１には、前回使用したペーパーマガジン１に係るペーパー２の情報も保存されている。
【００３４】
次に、装着されたペーパーマガジン１内のペーパー２が引き出されていき、カッター４によりロール状のペーパー２の先端部分を所定長さだけカットする。すでに述べたように、先端部分は露光用としては利用できないため、かかる先端部分はそのまま搬送経路に沿って搬送させて装置外部に排出させて廃棄処分させていたが、本願装置ではこれをクリーニングペーパーとして利用する（＃３）。これにより、ロスペーパーを有効活用できる。
【００３５】
そして、現在装着されているペーパーマガジン１のペーパー２の幅寸法の情報と、前回処理したペーパー２の幅寸法を比較し、その結果に基づいて振り分け機構１２をペーパー２の搬送幅方向に所定量移動させる（＃４）。これにより、クリーニングペーパー２Ａの先端により、積層した紙粉Ａを確実に除去することができる（図３参照）。なお、図２に示すような幅狭のペーパー２を処理した後に、幅広のペーパー２を処理するような場合には、振り分け機構１２を作動させる必要はなく、幅広のクリーニングペーパーを１回搬送させるだけで、２箇所の紙粉Ａを除去することができる。
【００３６】
次に、クリーニングが終了したか否かを判断する（＃５）。図３に示すような例では、１回クリーニングペーパー２Ａを搬送しただけではすべての個所の紙粉Ａを除去できないので、ステップ＃３に戻り、クリーニングペーパー２Ｂを搬送させるための処理を行う。この場合、クリーニングペーパー２Ａと２Ｂとでは、振り分け機構１２の作動方向も互いに逆方向になる。
【００３７】
クリーニングペーパー２Ａ，２Ｂは、搬送経路に沿ってそのまま搬送され、写真処理装置本体の外部に排出された後は廃棄処分される。クリーニングが終了すると、通常のプリント処理を行う（＃６）。
【００３８】
＜別実施形態＞
（１）ペーパーの乳剤面側を押圧する押圧手段としては、押圧パッドに限定されず板バネやゴム等の弾性体を用いてもよい。
（２）クリーニングペーパーとしてロール状ペーパーの先端部分を利用したが、それ以外にもロール状ペーパーの任意の部分をクリーニングペーパーとして利用するようにしてもよい。ロール状ペーパーにはスプライス部（つなぎ部）が形成されていることがあるが、このスプライス部もプリント処理に用いることができない。このため、従来は廃棄処分されていたが、本発明では、このスプライス部もクリーニングペーパーとして利用することができ、ロスペーパーの有効活用が達成できる。
【図面の簡単な説明】
【図１】写真処理装置の構成を示す模式図
【図２】露光基準面に紙粉が積層した状態を示す図
【図３】クリーニングペーパーを搬送させるときの様子を示す図
【図４】クリーニングを行うときの手順を示す作動フローチャート
【図５】クリーニングペーパーを搬送させるときの様子を示す図
【符号の説明】
１      ペーパーマガジン
２      ペーパー
２ａ    端面
１０    露光基準面
１２    振り分け機構
１３    第１搬送ローラ対
１４    第２搬送ローラ対
１６    押圧パッド
２０    制御手段
２１    記憶手段
Ａ      紙粉
Ｓ      走査露光部
Ｌ      レーザー光
【図１】
0004524508.tif 000002
【図２】
0004524508.tif 000003
【図３】
0004524508.tif 000004
【図４】
0004524508.tif 000005
【図５】
0004524508.tif 000006